(57)【要約】【課題】固体撮像装置の封止（接着）工程において、加熱処理の熱による封止空間内部の圧力上昇を防止する。【解決手段】少なくとも、回路基板に搭載された固体撮像素子を覆う筐体と、該筐体内部に具備されたＩＲカットフィルタと、内部にレンズを具備し前記筐体上部にネジ機構により螺合するレンズホルダーを有する固体撮像装置において、前記筐体の前記レンズホルダー底面と対向する位置に貫通部を設けた固体撮像装置とする。【選択図】      図２
2005020412.tif 000002
【特許請求の範囲】
【請求項１】
少なくとも、回路基板に搭載された固体撮像素子を覆う筐体と、該筐体内部に具備されたＩＲカットフィルタと、内部にレンズを具備し前記筐体上部にネジ機構により螺合するレンズホルダーを有する固体撮像装置において、前記筐体の前記レンズホルダー底面と対向する位置に貫通部を設けた事を特徴とする固体撮像装置。
【請求項２】
前記回路基板には固体撮像素子と他の部品が実装され、前記筐体は固体撮像素子と部品を隔てる隔壁部を有し、前記隔壁部に貫通部を設けた事を特徴とする請求項１記載の固体撮像装置。
【発明の詳細な説明】
【０００１】
【発明の属する技術分野】
本発明は、固体撮像装置に関するものである。
【０００２】
【従来の技術】
図１は、従来技術による固体撮像装置を模式的に示す断面図である。回路基板１上に固体撮像素子２が搭載されると共に、前記回路基板１との配線が施されている。前記回路基板１上面には、固体撮像素子２を覆うように筐体３が接着剤（不図示）を介して固定されている。前記筐体３内部には、ＩＲカットフィルタ４が組込まれており、筐体３を回路基板１に接着した時点で固体撮像素子１の封止が完了する。更に、筐体３上部には内部にレンズ７を具備するレンズホルダー６がネジ機構５により螺合され固体撮像装置が完成する。
【０００３】
前記従来技術による固体撮像装置においては、封止の際に使用する熱硬化型接着剤を硬化させるための熱処理により、封止された筐体内部の圧力が上昇し、回路基板や筐体が変形したり、接着不良が生じ接着部がリークするといった問題が発生しており、前記問題を解消するために回路基板と筐体のいずれかに貫通穴を形成しておき、封止後に貫通穴に樹脂を注入して塞ぐ固体撮像装置の製造方法も開示されている。（特許文献１参照）
【０００４】
【特許文献１】
特開２０００−１５０８４４号公報（第３頁、第３図）
【０００５】
【発明が解決しようとする課題】
前述したように従来の固体撮像装置においては、筐体を回路基板に接着する際に熱硬化型接着剤を使用するため、接着剤硬化時の加熱により封止された筐体内部の圧力が上昇し、回路基板や筐体が変形したり、接着面がリークする問題が生じていた。
【０００６】
また、前述したように前記問題を解消した固体撮像装置も提案されてはいるが、この構成においては、筐体に形成した貫通穴を封止後に樹脂等で塞がなければならず、その分工数が増加してしまうと共に、その部分による封止の信頼性も低下していた。
【０００７】
本発明は、前記問題点を鑑みてなされたものであり、工数を増やす事なく、接着強度、及び封止の信頼性を確保する固体撮像装置を提供する事を目的とする。
【０００８】
【課題を解決するための手段】
少なくとも、回路基板に搭載された固体撮像素子を覆う筐体と、該筐体内部に具備されたＩＲカットフィルタと、内部にレンズを具備し前記筐体上部にネジ機構により螺合するレンズホルダーを有する固体撮像装置において、前記筐体の前記レンズホルダー底面と対向する位置に貫通部を設けた固体撮像装置とする。
【０００９】
前記回路基板には固体撮像素子と他の部品が実装され、前記筐体には固体撮像素子と部品を隔てる隔壁部を有し、前記隔壁部に貫通部を設けた固体撮像装置とする。
【００１０】
【発明の実施の形態】
図２は本発明による固体撮像装置の第１実施形態を模式的に示す断面図、図３は第２実施形態を模式的に示す断面図でレンズホルダーと筐体を螺合した後接着固定する例、図４は第３実施形態を模式的に示す断面図で回路基板に固体撮像素子の他に部品を実装し、部品も筐体で覆う例である。以下、本発明の実施形態について図面を参照して説明する。封止工程の概略としては、まず回路基板８上面に固体撮像素子９を固定し、配線を施した後、筐体１０を固体撮像素子９を覆うように被せると共に、熱硬化型接着剤（不図示）を介して筐体１０を前記回路基板８に接着固定する。
【００１１】
前記接着をする際には、筐体１０と回路基板８を熱硬化型接着剤を介して貼り合わせた状態で加熱炉（不図示）に入れ、加熱処理を行う事により前記熱硬化型接着剤を硬化させる。そのため、従来の構成ならば筐体１０内部、即ち筐体１０と回路基板８との間の固体撮像素子９を収納する封止空間１１内部の気体（例えば空気、窒素等）が前記加熱処理の熱により膨張し、前記封止空間１１内部の圧力が上昇する。しかし、本発明においては、前記筐体１０のレンズホルダー１２底面と対向する部位に貫通部１３を設けてあるため、そこから気体が外部へ抜けていくので封止空間１１内部の圧力が上昇することはない。接着が完了したらレンズ１４が組み込まれたレンズホルダー１２をネジ機構１５を介して筐体１０に螺合させ固定する。
【００１２】
レンズホルダー１２を筐体１０に螺合させる事により、筐体１０内部の気密性はある程度確保されるものであるが、図３に示すようにネジ機構１５端部の全周に沿って樹脂等の固定用接着剤１６を塗布する事により、更に気密性を高める事が可能である。
【００１３】
また、図４に示すように、筐体内部にコンデンサ等の部品１７を固体撮像素子９と共に封止する場合においても、筐体１８に形成された固体撮像素子９と部品１７を隔てる隔壁部１９に貫通部２０を設ける事により、封止（接着）時に貫通部２０から貫通部１３という経路で部品１７の封止空間２１内部の気体を抜く事が可能となる。
【００１４】
前記隔壁部２０は、部品１７の封止空間２１で発生したゴミ等が固体撮像素子９の封止空間１１に進入し、固体撮像素子９の映像に影響を及ぼさないように封止空間１１、２１を隔てるものである。そのため、前記貫通部２０を必要以上に大きく形成してしまうと、前記固体撮像素子９の封止空間１１に無視できない程、ゴミ等の侵入を許してしまう可能性がある。従って、前記貫通部は、前記問題が生じない大きさに形成するのが望ましい。
【００１５】
本発明の実施形態においては、前記貫通部１３、及び貫通部２０を丸穴形状としたが、適宜選択可能でありこれに限定されるものではない。また、ゴミ等の進入を許さない範囲内においては貫通部を複数設けても良く、その分封止空間内の圧力を抜く効率が高まる。
【００１６】
【発明の効果】
本発明によれば以下の効果を奏する。筐体に設けた貫通部より封止（接着）工程の加熱による筐体内部の圧力を逃がす事ができ、接着部分のシール性の低下や接着剤のリークの防止ができると共に、前記貫通部は、筐体内側の部位に設けられているため、組立後に樹脂等で塞ぐ必要がなく、その分の工数を増加させる事がない。
【００１７】
筐体内にコンデンサ等の固体撮像素子とは別の部品を組み込む場合であっても、筐体内の隔壁部に貫通部を設ける事により、固体撮像素子の封止空間内部の圧力だけでなく、前記部品の封止空間内部の圧力も同時に抜く事が可能である。
【図面の簡単な説明】
【図１】従来技術による固体撮像装置を模式的に示す断面図
【図２】本発明第１の実施形態を模式的に示す断面図
【図３】本発明第２の実施形態を模式的に示す断面図
【図４】本発明第３の実施形態を模式的に示す断面図
【符号の説明】
１  回路基板
２  固体撮像素子
３  筐体
４  ＩＲカットフィルタ
５  ネジ機構
６  レンズホルダー
７  レンズ
８  回路基板
９  固体撮像素子
１０  筐体
１１  固体撮像素子の封止空間
１２  レンズホルダー
１３  貫通部
１４  レンズ
１５  ネジ機構
１６  固定用接着剤
１７  部品（コンデンサ等）
１８  筐体
１９  隔壁部
２０  貫通部
２１  部品の封止空間
【図１】
2005020412.tif 000003
【図２】
2005020412.tif 000004
【図３】
2005020412.tif 000005
【図４】
2005020412.tif 000006